(57)【要約】【課題】受信したコンテンツの記録時に、コンテンツの利用者が送信元を特定したり、コンテンツの送信元が利用者を特定したりする必要のないコンテンツ記録装置などを提供する。【解決手段】親機２０Ａは、コンテンツを受信する外部用通信制御部２と、受信したコンテンツを記録する格納部４Ａと、受信したコンテンツの送信元を特定する送信元特定部３１と、特定した送信元に対応するコンテンツの利用先を特定する利用先特定部３２と、特定した利用先に対応づけて、受信したコンテンツを記録するように格納部４Ａを制御する記録制御部３とを備える。【選択図】図１
2008147975.tif 000002
【特許請求の範囲】
【請求項１】
コンテンツを受信する受信部と、受信したコンテンツを記録する記録部とを備えるコンテンツ記録装置であって、
受信したコンテンツの送信元を特定する送信元特定手段と、
特定した送信元に対応するコンテンツの利用先を特定する利用先特定手段と、
特定した利用先に対応づけて、受信したコンテンツを記録するように前記記録部を制御する記録制御手段とを備えることを特徴とするコンテンツ記録装置。
【請求項２】
さらに、コンテンツの利用先からの再生要求を取得する再生要求取得手段と、
取得した再生要求を行った利用先に対応するコンテンツを再生する再生制御手段とを備えることを特徴とする請求項１に記載のコンテンツ記録装置。
【請求項３】
前記記録部は、
コンテンツの送信元を特定するための送信元識別情報と、コンテンツの利用先を特定するための利用先識別情報とを対応づける送信元利用先対応情報をあらかじめ記録しており、
前記利用先特定手段は、
前記送信元利用先対応情報を参照して、コンテンツの利用先を特定することを特徴とする請求項１又は２に記載のコンテンツ記録装置。
【請求項４】
前記記録部は、
１つ以上の送信元識別情報を含む送信元データ群を利用先ごとにあらかじめ記録しており、
さらに、前記送信元データ群を参照して、前記送信元利用先対応情報を更新する更新手段を備えることを特徴とする請求項３に記載のコンテンツ記録装置。
【請求項５】
さらに、前記送信元利用先対応情報の更新要求をコンテンツの利用先から取得する更新要求取得手段を備えており、
前記更新手段は、
前記更新要求取得手段が、前記更新要求を取得した場合に、前記送信元データ群を参照して、前記送信元利用先対応情報を更新することを特徴とする請求項４に記載のコンテンツ記録装置。
【請求項６】
前記更新手段は、
さらに、前記送信元データ群に、新しい送信元識別情報が追加された場合に、前記送信元利用先対応情報を更新することを特徴とする請求項４又は５に記載のコンテンツ記録装置。
【請求項７】
前記コンテンツ記憶装置は、電話機であり、前記コンテンツは音声データであることを特徴とする請求項１〜６のいずれか１項に記載のコンテンツ記録装置。
【請求項８】
前記コンテンツ記憶装置は、ファクシミリであり、前記コンテンツは画像データであることを特徴とする請求項１〜７のいずれか1項に記載のコンテンツ記録装置。
【請求項９】
複数の通信装置を備える通信システムであって、
コンテンツを受信する受信部と、
受信したコンテンツを記録する記録部とを備えており、
前記受信したコンテンツの送信元を特定する送信元特定手段と、
特定した送信元に対応する前記通信装置を特定する通信装置特定手段と、
特定した通信装置に対応づけて、前記受信したコンテンツを記録するように前記記録部を制御する記録制御手段とを備えることを特徴とする通信システム。
【請求項１０】
コンテンツを受信する受信部と、受信したコンテンツを記録する記録部とを備えるコンテンツ記録装置の制御方法であって、
受信したコンテンツの送信元を特定する送信元特定ステップと、
特定した送信元に対応するコンテンツの利用先を特定する利用先特定ステップと、
特定した利用先に対応づけて、受信したコンテンツを記録するように前記記録部を制御する記録制御ステップとを備えることを特徴とするコンテンツ記録装置の制御方法。
【請求項１１】
複数の通信装置を備え、
コンテンツを受信する受信部と、受信したコンテンツを記録する記録部とを備える通信システムの制御方法であって、
前記受信したコンテンツの送信元を特定する送信元特定ステップと、
特定した送信元に対応する前記通信装置を特定する通信装置特定ステップと、
特定した通信装置に対応づけて、前記受信したコンテンツを記録するように前記記録部を制御する記録制御ステップとを備えることを特徴とする通信システムの制御方法。
【請求項１２】
請求項１〜８のいずれか１項に記載のコンテンツ記録装置における各手段としてコンピュータを動作させるためのコンテンツ記録装置の制御プログラム。
【請求項１３】
請求項９に記載の通信システムにおける各手段としてコンピュータを動作させるための通信システムの制御プログラム。
【請求項１４】
請求項１２に記載のコンテンツ記録装置の制御プログラム、及び請求項１３に記載の通信システムの制御プログラムの少なくとも一方を記録したコンピュータ読み取り可能な記録媒体。
【発明の詳細な説明】
【技術分野】
【０００１】
本発明は、コンテンツを受信し、受信したコンテンツを記録するコンテンツ記録装置などに関するものである。具体的には、本発明は、音声信号を受信し、受信した音声信号の記録及び再生を行なう録音再生機能付電話システムなどに関するものである。
【背景技術】
【０００２】
複数の通信装置を含む通信システムの一例である従来の親機と複数の子機とからなる録音再生機能付電話システムは、公衆回線からの着信に対して、留守番モード設定中の場合には自動的に応答して、送信元からのメッセージ等を録音することが可能となっている。
【０００３】
また、通常の電話の機能だけでなく、通話中の音声情報を録音する機能や、通話中ではなく自分がしゃべった音声を残すためのメモ録音の機能をも有している。
【０００４】
前記録音再生機能付電話システムでは、一般的には録音データはそれぞれの親機・子機ごとではなく親機が有しているメモリに格納されており、ある録音データを再生する場合には、親機は当然として、どの子機からでも録音データを再生することが可能となっている。
【０００５】
一方、前記録音再生機能付電話システムが家庭内で使用される場合においては、複数の子機はそれぞれの利用者の部屋に設置されているので、それぞれの子機を使用する利用者は、ほぼ特定されているのが一般的である。
【０００６】
しかしながら、前記録音再生機能付電話システムでは、それぞれの利用者と子機との間の対応関係とは無関係に音声データが記録されているため、特定の利用者がすべての音声データの中から所望の録音データを選択するのが非常に困難であるという問題点がある。
【０００７】
このような問題点を解決するための従来技術の一例として、特許文献１に開示された留守番電話機がある。この留守番電話機では、留守番状態で着信を受けると、発信者を識別し、この発信者の識別子を付加して通話を記憶手段に記憶するようになっている。
【０００８】
そして、受信者が留守中に記憶された通話を再生する場合、受信者の希望する識別子と合致する識別子を付加した通話を記憶手段から検索して再生するようになっている。これにより、留守中に録音した複数の発信者の通話の中から、受信者の希望する発信者の通話のみを再生することができる。
【０００９】
一方、前記従来技術の他の例として、特許文献２に開示されたコードレス電話機がある。前記コードレス電話機は、親機及び複数の子機とから構成される。このコードレス電話機では、それぞれの親機・子機を識別するための固有のコードを指定して、送信元が、外線からの用件メッセージや内線での伝言メッセージを親機に送る。
【００１０】
親機はメモリに前記用件又は伝言メッセージを記録し、さらに前記コードと前記用件又は伝言メッセージの記録位置を示すアクセスコードとを記録する。
【００１１】
親機は、子機から再生要求を受け取ると、再生要求を行なった前記子機のコードが記録されたコードに一致したとき、前記アクセスコードを参照して、該当する用件又は伝言メッセージをメモリから読み出して前記子機に送信する。
【００１２】
すなわち、コードレス電話機は、送信元が、外線からの用件メッセージや内線での伝言メッセージを送る場合（メッセージの記録時）に、親機又は子機の固有のコードも指定して、用件又は伝言メッセージとともに保存することで、利用者による再生時に、指定されたコードに対応する特定の親機又は子機での再生のみ許容する。
【特許文献１】特開平０３−  ８３４４１号公報（平成０３年０４月０９日公開）
【特許文献２】特開平０５−３００２２５号公報（平成０５年１１月１２日公開）
【発明の開示】
【発明が解決しようとする課題】
【００１３】
しかしながら、特許文献１に開示された留守番電話機では、前記識別子は、送信元を識別するものであるため、再生する場合にどの送信元の録音データを再生するかを、利用者が、識別子で指定する必要があり、利用者にとってわずらわしい。また、仮に、利用者が、前記識別子を失念してしまった場合等には、識別子を指定できないので所望の録音データを聞くことができなくなってしまうという問題点がある。
【００１４】
一方、特許文献２に開示されたコードレス電話機では、送信元が、メッセージを送る際（記録時）に親機又は子機の固有のコードを指定する必要があり面倒である。また、固有のコードを失念した場合等には、送信元は、どのコードを指定すればよいのか不明の状態となり、所望の利用者にメッセージを送ることができない。さらに、仮に、送信元が、不用意に任意のコードを指定した場合、メッセージを伝えたい相手以外の利用者にメッセージを送信してしまう可能性があり、プライバシー保護の観点からも問題がある。
【００１５】
これらの、問題点が生じる原因は、記録時（メッセージを送る際など）、及び再生時に、送信元又は利用者による何らかの指定操作が必要となる点にあると考えられる。
【００１６】
本発明は、このような従来の問題点に鑑みなされたものであって、その目的は、受信したコンテンツの記録時に、コンテンツの利用者が送信元を特定したり、コンテンツの送信元が利用者を特定したりする必要のないコンテンツ記録装置などを提供することにある。
【課題を解決するための手段】
【００１７】
本発明のコンテンツ記録装置は、前記課題を解決するために、コンテンツを受信する受信部と、受信したコンテンツを記録する記録部とを備えるコンテンツ記録装置であって、受信したコンテンツの送信元を特定する送信元特定手段と、特定した送信元に対応するコンテンツの利用先を特定する利用先特定手段と、特定した利用先に対応づけて、受信したコンテンツを記録するように前記記録部を制御する記録制御手段とを備えることを特徴としている。
【００１８】
また、本発明のコンテンツ記録装置の制御方法は、コンテンツを受信する受信部と、受信したコンテンツを記録する記録部とを備えるコンテンツ記録装置の制御方法であって、受信したコンテンツの送信元を特定する送信元特定ステップと、特定した送信元に対応するコンテンツの利用先を特定する利用先特定ステップと、特定した利用先に対応づけて、受信したコンテンツを記録するように前記記録部を制御する記録制御ステップとを備えることを特徴としている。
【００１９】
前記構成及び方法によれば、受信したコンテンツから送信元を特定し、特定した送信元に対応するコンテンツの利用先を特定し、特定した利用先に対応づけて、受信したコンテンツを記録部に記録する。
【００２０】
それゆえ、受信したコンテンツの記録時に、コンテンツの利用先が送信元を特定したり、コンテンツの送信元が利用先を特定したりする必要のないコンテンツ記録装置又はその制御方法を提供することができる。
【００２１】
ここで、「コンテンツ」とは、コンピュータの処理対象となる情報のことである。また、コンテンツには、データベースに蓄積されたデータや、画像・動画・音声データなども含まれる。
【００２２】
「受信したコンテンツの送信元を特定する」については、以下の２通りの場合が例示できる。第１に、コンテンツの送信元が送信先と接続を確立せずにコンテンツを送信するコネクションレス型伝送の場合には、送信元を特定できる情報がコンテンツとともに送信される。それゆえ、受信したコンテンツの送信元は、該送信元を特定できる情報から特定すればよい。
【００２３】
第２に、コンテンツの送信元が送信先と接続を確立してからコンテンツを送信するコネクション型伝送の場合には、接続の要求時、或いは接続の確立時に送信元を特定するようにすれば良い。
【００２４】
また、本発明のコンテンツ記録装置は、前記構成にくわえて、さらに、コンテンツの利用先からの再生要求を取得する再生要求取得手段と、取得した再生要求を行った利用先に対応するコンテンツを再生する再生制御手段とを備えることができる。
【００２５】
前記構成によれば、コンテンツの利用先からの再生要求を取得すると、取得した再生要求を行った利用先に対応するコンテンツを再生する。
【００２６】
それゆえ、受信したコンテンツの再生時にコンテンツの利用者が指定操作等をすることなく、不要なコンテンツを排除して、利用者に対応するコンテンツを再生することができるコンテンツ記録装置を提供することができる。
【００２７】
また、本発明のコンテンツ記録装置は、前記構成にくわえて、前記記録部は、コンテンツの送信元を特定するための送信元識別情報と、コンテンツの利用先を特定するための利用先識別情報とを対応づける送信元利用先対応情報をあらかじめ記録しており、前記利用先特定手段は、前記送信元利用先対応情報を参照して、コンテンツの利用先を特定することが好ましい。
【００２８】
前記構成によれば、コンテンツの送信元を特定するための送信元識別情報と、コンテンツの利用先を特定するための利用先識別情報とを対応づける送信元利用先対応情報をあらかじめ記録し、該送信元利用先対応情報を参照して、コンテンツの利用先を特定する。
【００２９】
したがって、受信したコンテンツの記録時や再生時にコンテンツの利用先及び送信元が指定操作等をすることなく、前記コンテンツとともに送信される送信元識別情報を受信するだけで、コンテンツの利用先を特定することが可能となる。
【００３０】
「送信元識別情報」とは、１つ以上の送信元のそれぞれを識別することができるような情報である。
【００３１】
「利用先識別情報」とは、１つ以上の利用先のそれぞれを識別することができるような情報である。
【００３２】
「送信元利用先対応情報」とは、「送信元識別情報」と「利用先識別情報」とを対応づけた情報のことであり、「対応づけ」には、少なくとも一対一対応、多対一対応、一対多対応の対応関係を利用する場合が含まれる。
【００３３】
また、本発明のコンテンツ記録装置は、前記構成にくわえて、前記記録部は、１つ以上の送信元識別情報を含む送信元データ群をあらかじめ記録しており、さらに、前記送信元データ群を参照して、前記送信元利用先対応情報を更新する更新手段を備えることが好ましい。
【００３４】
前記構成によれば、１つ以上の送信元識別情報を含む送信元データ群をあらかじめ記録し、前記送信元データ群を参照して、送信元利用先対応情報を更新する。
【００３５】
それゆえ、利用者は、あらかじめ記録されている送信元利用先対応情報を、送信元データ群を参照して更新したい場合には、送信元データ群を記録部に記録しておくだけで良いので、面倒な更新作業を行なわなくても良い。
【００３６】
「送信元データ群」とは、例えば電話帳データ、送信元識別情報を集めたデータベースなど、コンテンツの送信元を識別するための送信元識別情報を１つ以上含んでいる情報のことである。
【００３７】
また、本発明のコンテンツ記録装置は、前記構成にくわえて、さらに、前記送信元利用先対応情報の更新要求をコンテンツの利用先から取得する更新要求取得手段を備えており、前記更新手段は、前記更新要求取得手段が、前記更新要求を取得した場合に、前記送信元データ群を参照して、前記送信元利用先対応情報を更新することが好ましい。
【００３８】
前記構成によれば、前記送信元利用先対応情報の更新要求をコンテンツの利用先から取得した場合に、前記送信元データ群を参照して、前記送信元利用先対応情報を更新する。
【００３９】
それゆえ、コンテンツの利用先が所望のタイミングで更新要求を行なうことで、送信元利用先対応情報を更新することができる。
【００４０】
また、本発明のコンテンツ記録装置は、前記構成にくわえて、前記更新手段は、さらに、前記送信元データ群に、新しい送信元識別情報が追加された場合に、前記新しい送信元情報及び前記送信元データ群を参照して、前記送信元利用先対応情報を更新することが好ましい。
【００４１】
前記構成によれば、送信元データ群に、新しい送信元識別情報が追加された場合に、新しい送信元情報及び送信元データ群を参照して、送信元利用先対応情報を更新する。
【００４２】
それゆえ、利用者は、送信元データ群に新しい送信元識別情報が追加されるたびに、送信元利用先対応情報を更新しなければならないという、面倒な作業を回避することができる。
【００４３】
また、本発明のコンテンツ記録装置は、前記構成にくわえて、前記コンテンツ記憶装置は、電話機であり、前記コンテンツは音声データであることが好ましい。
【００４４】
また、本発明のコンテンツ記録装置は、前記構成にくわえて、前記構成にくわえて、ファクシミリであり、前記コンテンツは画像データであることが好ましい。
【００４５】
また、本発明の通信システムは、前記課題を解決するために、複数の通信装置を備える通信システムであって、コンテンツを受信する受信部と、受信したコンテンツを記録する記録部とを備えており、前記受信したコンテンツの送信元を特定する送信元特定手段と、特定した送信元に対応する前記通信装置を特定する通信装置特定手段と、特定した通信装置に対応づけて、前記受信したコンテンツを記録するように前記記録部を制御する記録制御手段とを備えることを特徴としている。
【００４６】
また、本発明の通信システムの制御方法は、複数の通信装置を備え、コンテンツを受信する受信部と、受信したコンテンツを記録する記録部とを備える通信システムの制御方法であって、前記受信したコンテンツの送信元を特定する送信元特定ステップと、特定した送信元に対応する前記通信装置を特定する通信装置特定ステップと、特定した通信装置に対応づけて、前記受信したコンテンツを記録するように前記記録部を制御する記録制御ステップとを備えることを特徴とする通信システムの制御方法。
【００４７】
前記構成及び方法によれば、コンテンツを受信する際に受信したコンテンツの送信元を特定する。つぎに、特定した送信元に対応する前記通信装置を特定し、特定した通信装置に対応づけて、前記受信したコンテンツを記録する。
【００４８】
それゆえ、受信したコンテンツの記録時に、コンテンツの利用者が通信装置を特定したり、コンテンツの送信元が通信装置を特定したりする必要のない通信システム又はその制御方法を提供することができる。
【００４９】
なお、前記コンテンツ記録装置、前記通信システムなどは、コンピュータによって実現しても良く、この場合には、コンピュータを前記各手段として動作させることにより前記コンテンツ記録装置、前記通信システムなどをコンピュータで実現させるコンテンツ記録装置及び通信システムの制御プログラム、及びそれを記録したコンピュータ読み取り可能な記録媒体も本発明の範疇に入る。
【発明の効果】
【００５０】
本発明のコンテンツ記録装置は、以上のように、コンテンツを受信する受信部と、受信したコンテンツを記録する記録部とを備えるコンテンツ記録装置であって、受信したコンテンツの送信元を特定する送信元特定手段と、特定した送信元に対応するコンテンツの利用先を特定する利用先特定手段と、特定した利用先に対応づけて、受信したコンテンツを記録するように前記記録部を制御する記録制御手段とを備えるものである。
【００５１】
また、本発明のコンテンツ記録装置の制御方法は、コンテンツを受信する受信部と、受信したコンテンツを記録する記録部とを備えるコンテンツ記録装置の制御方法であって、受信したコンテンツの送信元を特定する送信元特定ステップと、特定した送信元に対応するコンテンツの利用先を特定する利用先特定ステップと、特定した利用先に対応づけて、受信したコンテンツを記録するように前記記録部を制御する記録制御ステップとを備える方法である。
【００５２】
それゆえ、受信したコンテンツの記録時に、コンテンツの利用者が送信元を特定したり、コンテンツの送信元が利用者を特定したりする必要のないコンテンツ記録装置又はその制御方法を提供することができるという効果を奏する。
【００５３】
また、本発明の通信システムは、以上のように、複数の通信装置を備える通信システムであって、コンテンツを受信する受信部と、受信したコンテンツを記録する記録部とを備えており、前記受信したコンテンツの送信元を特定する送信元特定手段と、特定した送信元に対応する前記通信装置を特定する通信装置特定手段と、特定した通信装置に対応づけて、前記受信したコンテンツを記録するように前記記録部を制御する記録制御手段とを備えるものである。
【００５４】
また、本発明の通信システムの制御方法は、複数の通信装置を備え、コンテンツを受信する受信部と、受信したコンテンツを記録する記録部とを備える通信システムの制御方法であって、前記受信したコンテンツの送信元を特定する送信元特定ステップと、特定した送信元に対応する前記通信装置を特定する通信装置特定ステップと、特定した通信装置に対応づけて、前記受信したコンテンツを記録するように前記記録部を制御する記録制御ステップとを備える方法である。
【００５５】
それゆえ、受信したコンテンツの記録時に、コンテンツの利用者が通信装置を特定したり、コンテンツの送信元が通信装置を特定したりする必要のない通信システム又はその制御方法を提供することができるという効果を奏する。
【発明を実施するための最良の形態】
【００５６】
本発明の実施の形態の通信システムの一例について図１ないし図６に基づいて説明すれば、以下の通りである。
【００５７】
まず、図１及び図２に基づき、前記通信システムの一例である録音再生機能付電話システム（通信システム）１の構成について説明する。
【００５８】
図１は、録音再生機能付電話システム１の概略構成を示す機能ブロック図である。また、図２は、録音再生機能付電話システム１の通信環境を説明するための概念図である。
【００５９】
まず、図２に基づいて録音再生機能付電話システム１の通信環境について説明する。図２に示すように、音声データや画像データなどのコンテンツの送信元である送信元通信装置１０１は、電話回線などの電気通信回線２０１に接続される。また、録音再生機能付電話システム１の親機２０Ａも電気通信回線２０１に接続される。図２に示すように、複数の子機２０Ｂは、親機２０Ａと無線又は有線で通信可能な構成となっている。こうして、送信元通信装置１０１は、電気通信回線２０１を介して、録音再生機能付電話システム１に、コンテンツを送信する。
【００６０】
つぎに、図１に基づき、録音再生機能付電話システム１の構成について説明する。録音再生機能付電話システム１は、親機（コンテンツ記録装置・通信装置）２０Ａと複数の子機（通信装置）２０Ｂとを備える構成である。なお、図１では、子機２０Ｂは１台だけしか示していない。
【００６１】
つぎに、親機２０Ａの各部について説明する。親機２０Ａは、図１に示すように、外部用通信制御部（受信部）２、記録制御部（記録制御手段）３、格納部（記録部）４Ａ、キースイッチ５Ａ、インタフェース６Ａ、要求取得部７Ａ、再生制御部（再生制御手段）８Ａ、音声・画像出力制御部９Ａ、スピーカ・ＬＣＤ（Liquid Crystal Display）１０Ａ、マイク・カメラ１１Ａ、音声・画像入力制御部１２Ａ、子機用通信制御部（受信部）１３Ａ、及びアンテナ１４Ａを有する構成である。
【００６２】
ここで、親機２０Ａの各部の詳細について説明する。外部用通信制御部２は電気通信回線２０１に接続され、該電気通信回線２０１との通信状態を管理するものである。また、電気通信回線２０１を通じて送信されてきたコンテンツを記録制御部３に送信するものである。
【００６３】
記録制御部３はコンテンツ等の情報を格納部４Ａへ記録させたり、格納部４Ａに記録されているデータの更新を行なったりして、格納部４Ａへの記録を管理するものであり、送信元特定部（送信元特定手段）３１、利用先特定部３２、及び更新制御部（更新手段）３３を備える。
【００６４】
格納部４Ａは、ユーザ対応情報（送信元利用先対応情報）４１Ａ、コンテンツ・利用先識別情報４２Ａ、及び電話帳データ（送信元データ群）４３Ａなどの各種データ及び情報などを記録するものである。
【００６５】
ユーザ対応情報４１Ａは、発信者番号と、装置識別情報（利用先識別情報）との対応関係を規定する情報である。また、装置識別情報は、利用先を特定するための情報である。
【００６６】
コンテンツ・利用先識別情報４２Ａは、利用先識別情報及び該情報とともに対応づけて記録されるコンテンツである。送信元識別情報は、送信元を特定するための情報である。電話帳データ（送信元データ群）４３Ａは、送信元識別情報を１つ以上含んだ情報の集まりである。
【００６７】
格納部４ＡのＲＡＭ（random access memory）などの揮発性の半導体メモリなどで構成される部分には、親機２０Ａの各部が処理を行なうために必要なデータ等が一時的に記録される。
【００６８】
また、格納部４Ａのフラッシュメモリなどの不揮発性のメモリで構成される部分には、例えば、親機２０Ａを動作させるために実行されるプログラム、及び親機２０Ａの電源が切断されても保持すべきデータ等が記録される。なお、録音データなどのコンテンツやユーザ対応情報４１Ａも不揮発性のメモリに記録させるのが好ましい。
【００６９】
送信元特定部３１は、送信元を特定するものである。例えば、送信元通信装置１０１と録音再生機能付電話システム１との接続を確立する前に送信元通信装置１０１がコンテンツを送信するコネクションレス型伝送の場合には、コンテンツとともに発信者番号（送信元識別情報）などの送信元を識別するための情報を送信する。すなわち、この発信者番号などの情報により送信元を特定することができる。なお、録音再生機能付電話システム１の場合には、送信元は、発信者番号で特定することになるが、メールの場合にはメールアドレスで特定すれば良い。
【００７０】
なお、接続を確立してからコンテンツを送信するコネクション型の場合は、接続を確立する場合に送信元を特定すれば良い。
【００７１】
利用先特定部３２は、ユーザ対応情報４１Ａを読み出し、このユーザ対応情報４１Ａに基づいて発信者番号に対応する装置識別情報から利用先を特定する。
【００７２】
更新制御部３３は、あらかじめ格納部４Ａに記録されているユーザ対応情報４１Ａを更新するものである。
【００７３】
キースイッチ５Ａは、利用者の操作を受け付ける入力装置である。インタフェース６Ａは、キースイッチ５Ａを介して、要求取得部７Ａに対して利用者の操作を入力信号として送信するものである。なお、入力装置としては、キースイッチに限られず、キーボード、マウスなど、情報を入力できる装置ならば何であっても良い。
【００７４】
要求取得部７Ａは、利用者による要求を、キースイッチ５Ａ及びインタフェース６Ａを介して取得するものである。要求取得部７Ａは、取得した要求に応じて、親機２０Ａの各部に様々な命令を出すものである。利用者による要求の例としては、コンテンツを再生させる再生要求、画像データを出力させる表示要求、ユーザ対応情報４１Ａを更新させる更新要求、及び録音・録画をさせる録音・録画要求などが挙げられる。
【００７５】
再生制御部８Ａは、格納部４Ａに記録されているコンテンツを再生する制御を行なうものである。再生制御部８Ａは、該コンテンツを音声・画像出力制御部９Ａ及び子機用通信制御部１３Ａに移送する。
【００７６】
音声・画像出力制御部９Ａは、例えば、再生制御部８Ａから移送されてくるコンテンツに基づいてスピーカ・ＬＣＤ１０Ａから音声・画像を出力する制御を行なうものである。なお、本実施形態では、表示装置としてＬＣＤの例を示しているが、これに限られず、ＰＤＰ（plasma display panel）、ＣＲＴ（cathode-ray tube）など、情報を表示できる装置であれば、何であっても良い。
【００７７】
音声・画像入力制御部１２Ａは、外部から音声又は画像をマイク・カメラ１１Ａにて取り込む制御を行なう。音声は、音声信号に変換され、画像は、画像信号に変換されて取り込まれる。
【００７８】
子機用通信制御部１３Ａは、アンテナ１４Ａを介して利用先に該当する子機２０Ｂにコンテンツを送ったり、子機２０Ｂからの各種の要求を受け取ったりなどの子機２０Ｂとの通信状態を制御するものである。ここで取り扱われるデータはコンテンツの他、親機２０Ａから子機２０Ｂへの制御信号、子機２０Ｂから親機２０Ａへの制御信号などが含まれる。また、図１に示してはいないが、子機用通信制御部１３Ａが、子機２０Ｂから、コンテンツを受信したり、子機２０Ｂからの各種の要求を受け取ったりする場合などについて制御することも考えられる。
【００７９】
なお、本実施の形態においては、無線通信の場合について説明しているが、このような場合に限られず、親機２０Ａと子機２０Ｂとが互いに有線でつながった形態であっても良い。
【００８０】
つぎに、子機２０Ｂの構成について説明する。なお、説明の便宜上、親機２０Ａの図面に示した部材と同様の機能を有する部材については、同一の番号を付し、アルファベットのＡ及びＢで、それぞれ親機及び子機の構成を区別する。すなわち、アルファベットのＡは親機に関する構成を示す符号であり、アルファベットのＢは、子機に関する構成を示す符号である。
【００８１】
図１に示すように、子機２０Ｂは、格納部（記録部）４Ｂ、キースイッチ５Ｂ、インタフェース６Ｂ、要求取得部７Ｂ、再生制御部８Ｂ、音声・画像出力制御部９Ｂ、スピーカ・ＬＣＤ１０Ｂ、マイク・カメラ１１Ｂ、音声・画像入力制御部１２Ｂ、親機用通信制御部（受信部）１３Ｂ、及びアンテナ１４Ｂを備える構成である。
【００８２】
ここで、子機２０Ｂの各構成の詳細について説明する。格納部４Ｂは、コンテンツ４２Ｂ及び電話帳データ４３Ｂの他、各種データ及び情報などを記録するものである。
【００８３】
コンテンツ４２Ｂは、格納部４Ｂに記録されるコンテンツである。ここで、親機２０Ａにおけるコンテンツ・利用先識別情報４２Ａの様に記載せず、コンテンツ４２Ｂと記載しているのは、利用先がすでに特定されているためである。電話帳データ４３Ｂは、送信元識別情報を１つ以上含んだ情報の集まりである。
【００８４】
格納部４ＢのＲＡＭなどの揮発性の半導体メモリなどで構成される部分には、子機２０Ｂの各部が処理を行なうために必要なデータ等が一時的に記録される。
【００８５】
また、格納部４Ｂのフラッシュメモリなどの不揮発性のメモリで構成される部分には、例えば、子機２０Ｂを動作させるために実行されるプログラム、及び子機２０Ｂの電源が切断されても保持すべきデータ等が記録される。なお、録音データなどのコンテンツも不揮発性のメモリに記録させるのが好ましい。
【００８６】
キースイッチ５Ｂは、利用者の操作を受け付ける入力装置である。インタフェース６Ｂは、キースイッチ５Ｂを介して、要求取得部７Ｂに対して利用者の操作を入力信号として送信するものである。なお、入力装置としては、キースイッチに限られず、キーボード、マウスなど、情報を入力できる装置ならば何であっても良い。
【００８７】
要求取得部７Ｂは、利用者による要求を、キースイッチ５Ｂ及びインタフェース６Ｂを介して取得するものである。要求取得部７Ｂは、取得した要求に応じて、子機２０Ｂの各部に様々な命令を出すものである。利用者による要求の例としては、コンテンツを再生させる再生要求、画像データを出力させる表示要求、親機２０Ａの格納部４Ａに記録されているユーザ対応情報４１Ａを更新させる更新要求、及び録音・録画をさせる録音・録画要求などが挙げられる。
【００８８】
再生制御部８Ｂは、格納部４Ｂに記録されているコンテンツを再生する制御を行なうものである。再生制御部８Ｂは、該コンテンツを音声・画像出力制御部９Ｂ及び親機用通信制御部１３Ｂに移送する。
【００８９】
音声・画像出力制御部９Ｂは、例えば、再生制御部８Ｂから移送されてくるコンテンツに基づいてスピーカ・ＬＣＤ１０Ｂから音声・画像を出力する制御を行なうものである。なお、本実施形態では、表示装置としてＬＣＤの例を示しているが、これに限られず、ＰＤＰ、ＣＲＴなど、情報を表示できる装置であれば、何であっても良い。
【００９０】
音声・画像入力制御部１２Ｂは、外部から音声又は画像をマイク・カメラ１１Ｂにて取り込む制御を行なう。音声は、音声信号に変換され、画像は、画像信号に変換されて取り込まれる。
【００９１】
親機用通信制御部１３Ｂは、アンテナ１４Ｂを介して、格納部４Ｂに記録された電話帳データ４３Ｂを親機２０Ａに送ったり、親機２０Ａからの各種の要求を受け取ったりなどの親機２０Ａとの通信状態を制御するものである。ここで取り扱われるデータはコンテンツや、電話帳データ４３Ｂの他、子機２０Ｂから親機２０Ａへの制御信号、親機２０Ａから子機２０Ｂへの制御信号などが含まれる。また、図１に示してはいないが、親機用通信制御部１３Ｂが、親機２０Ａから、コンテンツを受信したり、親機２０Ａからの各種の要求を受け取ったりする場合などについて制御することも可能である。なお、親機用通信制御部１３Ｂは、親機２０Ａから転送されてきたコンテンツを他の子機２０Ｂに送信する場合も考えられる。
【００９２】
つぎに、図１及び図３に基づき、録音再生機能付電話システム１の留守番録音時の動作について説明する。図３は、録音再生機能付電話システム１の留守番録音時の動作を説明するためのフローチャートである。図１に示す親機２０Ａは、外部用通信制御部２が、電気通信回線２０１からの着信を検出すると、留守設定状態等であった場合には、自動的に応答し、図３に示すステップＳ１１に移る。
【００９３】
ステップＳ１１では、外部用通信制御部２が着信に含まれる発信者番号を検出し、記録制御部３の利用先特定部３２が、あらかじめ格納部４Ａに記録されたユーザ対応情報４１Ａを参照し、前記発信者番号に対応する装置識別情報を読み出し、ステップＳ１２に移る。
【００９４】
ステップＳ１２では、ステップＳ１１で取り出した装置識別情報を格納部４Ａに保持（保存）し、ステップＳ１３に移る。
【００９５】
ステップＳ１３では、外部用通信制御部２から送信されてくる送信元のコンテンツを、記録制御部３が受け取り、記録制御部３は、受け取ったコンテンツを格納部４Ａへ、記録し始め、ステップＳ１４に移る。
【００９６】
この際、外部用通信制御部２は、コンテンツがデジタルデータであれば、そのまま送信し、アナログデータであれば、デジタルデータに変換して、送信する。なお、ここでは、外部用通信制御部２がアナログデータをデジタルデータに変換する機能を備える場合を示したが、記録制御部３がこのような機能を備える構成であっても良い。
【００９７】
ステップＳ１４では、記録制御部３が、記録終了の操作である送信元の回線切断操作があったかどうかを監視し、該回線切断操作が行われるまで記録を継続する。また、上記記録終了の操作が行われたことを検知するとステップＳ１５に移る。
【００９８】
なお、ここでは、記録制御部３が、送信元の回線切断操作があったかどうかを監視する機能を備える場合を示したが、外部用通信制御部２がこのような機能を備え、監視した結果を記録制御部３に送信する構成であっても良い。
【００９９】
ステップＳ１５では、記録制御部３が、格納部４Ａへのコンテンツの記録を終了するとともに、ステップＳ１２にて格納部４Ａに保持していた装置識別情報をコンテンツに対応づけて、記録する。なお、本実施の形態においては、親機２０Ａが、録音再生機能付電話システム１全体のコンテンツを管理する形態で説明した。しかし、このような形態に限られず、コンテンツと装置識別情報とが対応付けられた段階で、該装置識別情報に対応する子機２０Ｂに、該コンテンツを送信し、その子機２０Ｂの格納部４Ｂに該コンテンツを記録する形態としても良い。
【０１００】
以上によれば、録音再生機能付電話システム１にコンテンツを記録する際に、送信元は親機２０Ａ・子機２０Ｂを指定する操作が不要となり、指定する装置を間違えることがなくなる。
【０１０１】
ここで、図４に基づき本実施の形態の録音再生機能付電話システム１におけるユーザ対応情報４１Ａの一例について説明する。図４は、録音再生機能付電話システム１におけるユーザ対応情報４１Ａの一例を表形式で示す図である。
【０１０２】
図４は、親機２０Ａと同じ機能を有する親機１１０Ａに対して、子機２０Ｂと同じ機能を有する３台の子機２１０Ｂ・２２０Ｂ・２３０Ｂが接続されている場合について示している。図４に示すように、ユーザ対応情報４１Ａは、発信者番号に対してそれに対応する装置識別情報を参照できるようになっている。この発信者番号と装置識別情報との対応関係を規定するユーザ対応情報４１Ａは、あらかじめ設定が可能であり、適宜更新が可能である。
【０１０３】
例えば、発信者番号「０３−２３４５−ＸＸＸＸ」に対応する装置識別情報は、「子機２２０Ｂ」となる。なお、図４では装置識別情報と発信者番号とは、一対一に対応しているが、多対一対応、一対多対応などの対応関係も採り得る。例えば或るコンテンツに対して複数の装置識別情報が対応する場合があり得る。この場合、複数の装置識別情報が上記コンテンツに対応付けて記録されることになる。なお、本実施の形態においては、子機２２０Ｂの例のように、同一の装置識別情報に対応するユーザ対応情報４１Ａが、テーブル内の別々の欄に存在する形態となっている。しかし、このような形態に限られず、装置識別情報ごとに発信者番号を整理した形態のテーブルを用いても良い。
【０１０４】
なお、本実施の形態では、利用先識別情報の一例として親機２０Ａ及び１台以上の子機２０Ｂのそれぞれの装置を識別するための装置識別情報を用いた例を示すが、利用先識別情報の例としては、これに限られず、例えば、上述のように、親機２０Ａ及び１台以上の子機２０Ｂのそれぞれについて、格納部４Ａにおける専用のアドレスを指定した場合には、そのアドレスを利用先識別情報として利用する事もできる。
【０１０５】
つぎに、図１及び図５に基づき、録音再生機能付電話システム１の再生時の動作について説明する。図５は、録音再生機能付電話システム１の再生時の動作を説明するためのフローチャートである。図１に示す親機２０Ａを操作する利用者からのキースイッチ５Ａの入力によって再生操作信号（再生要求）が要求取得部７Ａに送信された場合には図５に示すステップＳ２１に移る。若しくは、子機２０Ｂを操作する利用者からのキースイッチ５Ｂの入力によって、子機２０Ｂからの再生操作信号が、要求取得部７Ｂ及び親機用通信制御部１３Ｂなどを介して要求取得部７Ａに、送信されてきたときにステップＳ２１に移る。
【０１０６】
ステップＳ２１では、図１に示す親機２０Ａ側のキースイッチ５Ａの入力で再生操作が行われた場合、要求取得部７Ａは、親機２０Ａの装置識別情報を取得して格納部４Ａに記録し、再生制御部８Ａに再生命令を発してステップＳ２２に移る。
【０１０７】
一方、子機２０Ｂ側のキースイッチ５Ｂの入力で再生操作が行われた場合、子機２０Ｂの要求取得部７Ｂが、該再生操作を再生要求と認識して、親機用通信制御部１３Ｂを介して再生命令（命令）を親機２０Ａに送信し、親機２０Ａの要求取得部７Ａに該再生命令が通知される。要求取得部７Ａは、子機２０Ｂの装置識別情報を取得して親機２０Ａ側の格納部４Ａに記録し、再生制御部８Ａに再生命令を発してステップＳ２２に移る。
【０１０８】
ステップＳ２２では、再生制御部８Ａが、格納部４Ａに記録された装置識別情報に合致したコンテンツが格納部４Ａに存在するかどうかを確認する。合致するコンテンツがない場合には動作を終了し、合致したコンテンツがあった場合にはステップＳ２３に移る。
【０１０９】
ステップＳ２３では、再生制御部８Ａが、前記合致したコンテンツを送信すべき装置を格納部４Ａに記録された装置識別情報から特定する。特定された装置が親機２０Ａであった場合、前記コンテンツは音声・画像出力制御部９Ａに送られ、そこでデジタルデータのコンテンツからアナログデータのコンテンツに変換し、親機２０Ａ側のスピーカ・ＬＣＤ１０Ａから出力する。
【０１１０】
一方、特定された装置が子機２０Ｂであれば、再生制御部８Ａが、子機用通信制御部１３Ａ及びアンテナ１４Ａを介して、子機２０Ｂへコンテンツを送信する。送信されたコンテンツは、親機用通信制御部１３Ｂを介して格納部４Ｂに送られコンテンツ４２Ｂの情報として記録される。記録されたコンテンツ４２Ｂは、再生制御部８Ｂが読み出し、再生制御部８Ｂは、読み出したコンテンツ４２Ｂを音声・画像出力制御部９Ｂに送る。音声・画像出力制御部９Ｂでは、デジタルデータのコンテンツからアナログデータのコンテンツに変換されて、子機２０Ｂ側のスピーカ・ＬＣＤ１０Ｂから音声・画像情報が出力される。
【０１１１】
音声・画像情報の再生が完了するとステップＳ２２へ移り、再生制御部８Ａが、他に、前記合致するコンテンツがないかを確認し、合致するコンテンツがなくなるまでステップＳ２２とＳ２３とを繰り返す。
【０１１２】
なお、本実施の形態においては、全てのコンテンツを親機２０Ａが管理する形態について説明したが、装置識別情報とコンテンツとが対応づけられた段階で、該識別装置に対応する子機２０Ｂにコンテンツを送信し、この子機２０Ｂの格納部４Ｂにコンテンツ４２Ｂの情報として該コンテンツがあらかじめ記録される形態も可能である。
【０１１３】
この形態においては、子機２０Ｂの利用者からの再生要求に応じて再生制御部８Ｂが格納部４Ｂのコンテンツ４２Ｂの情報として記録されているコンテンツを読み出して、該コンテンツを音声・画像出力制御部９Ｂ及びスピーカ・ＬＣＤ１０Ｂを介して音声・画像情報として出力するように構成すれば良い。
【０１１４】
以上より、録音再生機能付電話システム１によれば、各々の通信装置から再生要求があった時に、その通信装置に合致した装置識別情報が付加されているコンテンツのみを再生するため、ユーザにとって不要なその他の通信装置で使用されるコンテンツが再生されることがなくなり、ユーザの操作を簡素化することができる。
【０１１５】
つぎに、図６に基づき、本実施の形態の録音再生機能付電話システム１においてユーザ対応情報４１Ａを自動的に更新する場合の一例について説明する。図６は、本実施の形態の録音再生機能付電話システム１におけるユーザ対応情報４１Ａの更新方法の一例を説明するための図である。
【０１１６】
ここでは、図１に示す記録制御部３の更新制御部３３が、親機２０Ａの格納部４Ａにあらかじめ記録されているユーザ対応情報４１Ａを更新する場合について説明する。また、ユーザ対応情報４１Ａを、親機２０Ａ・子機２０Ｂのそれぞれの格納部４Ａ・４Ｂに記録されている電話帳データ４３Ａ・４３Ｂを参照して更新する場合について説明する。なお、ユーザ対応情報４１Ａが、「あらかじめ記録されている」状態とは、ユーザ対応情報４１Ａが全く記録されていない場合は想定しないことを意味する。
【０１１７】
図６は、電話帳データ４３Ａ・４３Ｂのいずれかにあらたな発信者番号が追加されたタイミングで、ユーザ対応情報４１Ａを更新する場合について説明するための図である。
【０１１８】
図６では、更新前の状態のユーザ対応情報４１Ａのテーブルと、更新後の状態のユーザ対応情報４１Ａのテーブルとを示している。なお、本実施形態では、更新の前後の状態が理解できるように、装置識別情報ごとに発信者番号を格納した形態のテーブルに基づいて説明するが、このような形態のテーブルに限られず、上述の図４の形態のテーブルなどであっても良い。
【０１１９】
例えば、図６に示すように、親機１１０Ａの更新前の電話帳データ４３Ａに、発信者番号「０３−１２３４−ＸＸＸＸ」が存在しており、あらたにアンダーラインで示した発信者番号「０３−４５６７−ＸＸＸＸ」が追加されたタイミングで更新する場合を考える。この場合、更新制御部３３は、電話帳データ４３Ａの発信者番号に装置識別情報を付加して、ユーザ対応情報４１Ａを、例えば「発信者番号：０３−１２３４−ＸＸＸＸ  親機１１０Ａ    発信者番号：０３−４５６７−ＸＸＸＸ  親機１１０Ａ」のように置き換える。
【０１２０】
同様にして、子機２２０Ｂの更新前の電話帳データ４３Ｂに、発信者番号「０３−２３４５−ＸＸＸＸ」及び「０３−５６７８−ＸＸＸＸ」が存在しており、新たに、アンダーラインで示した発信者番号「０３−３４５６−ＸＸＸＸ」が追加されたタイミングで更新する場合について考える。この場合、更新制御部３３は、子機２２０Ｂの電話帳データ４３Ａの発信者番号に装置識別情報を付加して、ユーザ対応情報４１Ａを、「発信者番号：０３−２３４５−ＸＸＸＸ  子機２２０Ｂ    発信者番号：０３−５６８７−ＸＸＸＸ    子機２２０Ｂ    発信者番号：０３−３４５６−ＸＸＸＸ  子機２２０Ｂ」のように置き換える。
【０１２１】
ここで更新制御部３３がユーザ対応情報４１Ａを更新するタイミングには上記の場合を含め、以下の３つの場合が考えられる。
【０１２２】
まず、第１の場合は、上記の例で示したタイミングでユーザ対応情報４１Ａを更新する場合であるが、新しい発信者番号が電話帳データ４３Ａ・４３Ｂに登録（又は削除）されたタイミングで、ユーザ対応情報４１Ａを更新する場合である。
【０１２３】
例えば、利用者が電話帳データ４３Ａ・４３Ｂに新しい発信者番号を登録（又は削除）したタイミングや、装置の設定により自動的に電話帳データ４３Ａ・４３Ｂに新しい発信者番号が登録されたタイミングで、その電話帳データ４３Ａ・４３Ｂを有する装置に基づいて該装置を特定し、ユーザ対応情報４１Ａを更新する場合が考えられる。
【０１２４】
この第１の場合では、利用者は、電話帳データ４３Ａ・４３Ｂに新しい発信者番号などの送信元識別情報が追加されるたびに、ユーザ対応情報４１Ａを更新しなければならないという、面倒な作業を回避することができる。
【０１２５】
つぎに、第２の場合は、一定期間ごとのタイミングで、ユーザ対応情報４１Ａを、電話帳データ４３Ａ・４３Ｂを参照して更新する場合が考えられる。なお、新しい発信者番号を１つも取得していない場合は、その更新を中止する構成としても良い。
【０１２６】
この第２の場合では、ユーザ対応情報４１Ａは、一定の期間ごとに更新されるので、自動的に電話帳データ４３Ａ・４３Ｂに新しい発信者番号が登録（又は削除）されるような場合には、利用者は面倒な登録作業等を行なわなくても、ユーザ対応情報４１Ａを更新させることができる。
【０１２７】
つぎに、第３の場合は、利用者が、装置に対してユーザ対応情報４１Ａの更新の意思表示を示したタイミングで電話帳データ４３Ａ・４３Ｂを参照して更新する場合が考えられる。意思表示の例としては、図１の示すキースイッチ５Ａ・５Ｂを操作して親機２０Ａ又は子機２０Ｂのいずれかに更新要求する場合が考えられる。
【０１２８】
なお、ここでは、利用者の意思表示の例としてキースイッチ５Ａ・５Ｂを操作する例を示したが、このような場合に限られず、装置が認識できる態様であれば、どのような意思表示であっても良い。たとえば、音声認識なども考えられる。
【０１２９】
この第３の場合では、利用者の所望のタイミングで、ユーザ対応情報４１Ａを更新することができる。
【０１３０】
つぎに、録音再生機能付電話システム１などの購入時に、ユーザ対応情報４１Ａをあらたに作成する場合について説明する。ここで、「あらたに作成する」とは、上記の更新の場合と異なり、ユーザ対応情報４１Ａが、全く記録されていない初期の状態を想定するという意義である。
【０１３１】
ここで、録音再生機能付電話システム１の購入後に、親機２０Ａ及びそれぞれの子機２０Ｂの格納部４Ａ・４Ｂの電話帳データ４３Ａ・４３Ｂのいずれかに、１つ以上の発信者番号があらたに登録された場合について考える。
【０１３２】
例えば、親機２０Ａの記録制御部３の更新制御部３３が、あらたに発信者番号が登録された電話帳データ４３Ａ・４３Ｂの記録先から、対応する装置を特定し、装置識別情報を取得して、それぞれの発信者番号に応じたユーザ対応情報４１Ａを作成するように構成する。この場合には、電話帳データ４３Ａ・４３Ｂが記録されている装置は明白であり、その特定の電話帳データが記録されている装置に対応させてユーザ対応情報４１Ａを作成すれば良い。
【０１３３】
なお、本実施の形態では、記録制御部３は親機２０Ａに内蔵されているので、記録制御部３が、それぞれの子機２０Ｂの要求取得部７Ｂに、それぞれの電話帳データ４３Ｂを、親機用通信制御部１３Ｂ、子機用通信制御部１３Ａ及びそれらに接続されるアンテナ１４Ｂ・１４Ａを介して親機２０Ａに送信させる要求を行なうような構成とすれば良い。なお、本実施の形態においては、要求取得部７Ｂが電話帳データ４３Ｂを読み出して親機２０Ａに送信するようにしているが、このような場合に限られず、親機用通信制御部１３Ｂが同様の機能を果すように構成しても良い。
【０１３４】
また、本実施の形態では、記録制御部３は親機２０Ａに内蔵されているが、それぞれの子機２０Ｂにも同様の記録制御部を内蔵させても良い。この場合には、それぞれの装置の記録制御部が電話帳データ４３Ａ・４３Ｂに基づいてユーザ対応情報４１Ａを作成し、親機２０Ａの格納部４Ａに送信して記録するような構成とすれば良い。また、同様の記録制御部を、親機２０Ａ及び子機２０Ｂの外部に設置しても良い。
【０１３５】
こうして、利用者は、ユーザ対応情報４１Ａを、電話帳データ４３Ａ・４３Ｂを参照して作成させる場合には、電話帳データ４３Ａ・４３Ｂを格納部４Ａ・４Ｂに記録しておくだけで良いので、面倒な更新作業を行なわなくても良い。
【０１３６】
以上より、録音再生機能付電話システム１は、発信者番号に応じた装置識別情報を、通信装置に各々格納されている電話帳データ４３Ａ・４３Ｂから自動的に作成することによって、あらかじめユーザ対応情報４１Ａを設定する操作が不要となり。ユーザの操作を簡素化することができる。
【０１３７】
以上の説明においては、電話帳データ４３Ａ・４３Ｂなどの管理は親機２０Ａ・子機２０Ｂごとに行なわれている。しかし、このような場合に限られず、特定の装置に対応する電話帳データ４３Ａ・４３Ｂを、その装置と対応づけて、親機２０Ａが一括して電話帳データ４３Ａ・４３Ｂを記録し、管理する構成であっても良い。
【０１３８】
また、ユーザ対応情報４１Ａの管理は、親機２０Ａの格納部４Ａで行なわれている。しかし、このような場合に限られず、ユーザ対応情報４１Ａを複数の子機２０Ｂのいずれかが管理するようにしても良い。すなわち、ユーザ対応情報４１Ａの記録場所は、親機２０Ａの格納部４Ａ内であっても良いし、複数の子機２０Ｂのいずれかの格納部４Ｂ内であっても良い。
【０１３９】
さらに、電話帳データ４３Ａ・４３Ｂを送信元データ群の一例として説明したが、データベースなどで送信元データ群を管理するよう構成しても良い。
【０１４０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４１】
最後に、録音再生機能付電話システム１、親機２０Ａ及び子機２０Ｂの各ブロック、特に記録制御部３及び再生制御部８Ａは、ハードウェアロジックによって構成してもよいし、次のようにＣＰＵを用いてソフトウェアによって実現してもよい。
【０１４２】
すなわち、録音再生機能付電話システム１、親機２０Ａ及び子機２０Ｂは、各機能を実現する制御プログラムの命令を実行するＣＰＵ（central processing unit）、前記プログラムを格納したＲＯＭ（read only memory）、前記プログラムを展開するＲＡＭ、前記プログラム及び各種データを格納するメモリ等の記録装置（記録媒体）などを備えている。そして、本発明の目的は、上述した機能を実現するソフトウェアである録音再生機能付電話システム１、親機２０Ａ及び子機２０Ｂの制御プログラムのプログラムコード（実行形式プログラム、中間コードプログラム、ソースプログラム）をコンピュータで読み取り可能に記録した記録媒体を、録音再生機能付電話システム１、親機２０Ａ及び子機２０Ｂに供給し、そのコンピュータ（又はＣＰＵやＭＰＵ）が記録媒体に記録されているプログラムコードを読み出し実行することによっても、達成可能である。
【０１４３】
前記記録媒体としては、例えば、磁気テープやカセットテープ等のテープ系、フロッピー（登録商標）ディスク／ハードディスク等の磁気ディスクやコンパクトディスク−ＲＯＭ／ＭＯ／ＭＤ／デジタルビデオデイスク／コンパクトディスク−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１４４】
また、録音再生機能付電話システム１、親機２０Ａ及び子機２０Ｂを通信ネットワークと接続可能に構成し、前記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【産業上の利用可能性】
【０１４５】
本発明は、親子電話など、複数の通信装置を有する通信システムに適用することができる。また、ＩＰ（Internet protocol）電話など、複数の情報端末機をネットワークで結合させたシステムにも幅広く適用することができる。
【図面の簡単な説明】
【０１４６】
【図１】本発明の実施の一形態にかかる録音再生機能付電話システムの概略構成を示す機能ブロック図である。
【図２】前記録音再生機能付電話システムの通信環境を示す概念図である。
【図３】前記録音再生機能付電話システムの記録時の動作を示すフローチャートである。
【図４】前記録音再生機能付電話システムにおけるユーザ対応情報４１Ａの例を表形式で示す図である。
【図５】前記録音再生機能付電話システムの再生時の動作を示すフローチャートである。
【図６】前記録音再生機能付電話システムのユーザ対応情報４１Ａを更新する場合の動作を説明するための図である。
【符号の説明】
【０１４７】
１  録音再生機能付電話システム（通信システム）
２  外部制御通信部（受信部）
３  記録制御部（記録制御手段）
４Ａ,４Ｂ  格納部（記録部）
５Ａ,５Ｂ  キースイッチ
６Ａ，６Ｂ  インタフェース
７Ａ,７Ｂ  要求取得部（再生要求取得手段・更新要求取得手段）
８Ａ,８Ｂ  再生制御部（再生制御手段）
９Ａ，９Ｂ  音声・画像出力制御部
１０Ａ，１０Ｂ  スピーカ・ＬＣＤ
１１Ａ，１１Ｂ  マイク・カメラ
１２Ａ，１２Ｂ  音声・画像入力制御部
１３Ａ  子機用通信制御部（受信部）
１３Ｂ  親機用通信制御部（受信部）
１４Ａ，１４Ｂ  アンテナ
２０Ａ  親機（コンテンツ記録装置・通信装置）
２０Ｂ  子機（コンテンツ記録装置・通信装置）
３１  送信元特定部（送信元特定手段・通信装置特定手段）
３２  利用先特定部（利用先特定手段）
３３  更新制御部（更新手段）
４１Ａ  ユーザ対応情報（送信元利用先対応情報）
４２Ａ  コンテンツ・装置識別情報（コンテンツ・利用先識別情報）
４２Ｂ  コンテンツ
４３Ａ、４３Ｂ  電話帳データ（送信元データ群）
１０１  送信元通信装置
２０１  電気通信回線
【図１】
2008147975.tif 000003
【図２】
2008147975.tif 000004
【図３】
2008147975.tif 000005
【図４】
2008147975.tif 000006
【図５】
2008147975.tif 000007
【図６】
2008147975.tif 000008